(57)【要約】【課題】植物によっては、水の補給量が異なっており、特に多量の補給を必要とする植物に対しては長期的な出張，旅行をした場合枯らしてしまうことさえある。また、園芸店で鉢植えの花や他の植物を購入した場合、土が鉢の中に入れられているので、持ち運びに大変である。また、花や他の植物に水のみの補給するだけでは枯れてしまうことがある。【解決手段】パッドは、給水性や通気性などを加味した通常、赤ちゃんや寝たきり老人用に使用されているおむつを利用するものに関し、その成分は主としてコットンが用いられているが、場合によっては合成樹脂から生成されたフィルムもあり、該パッドに植物を備え、給水や植物の発育する養分を補給することによって、枯れさせないで長期の保存を可能ならしめる方法及びその装置である。【特許請求の範囲】
【請求項１】
パッド（パット）は、給水性や通気性などを加味した通常、赤ちゃんや寝たきり老人用に使用されているおむつなどに利用されているものであり、その成分は主としてコットン（粒状や綿状のもの）が用いられているが、場合によっては合成樹脂から得られる化学繊維や、植物繊維や、又紙の繊維から生成されたものであり、該パッドに水単体又は肥料，養分，薬剤などを水に溶解せしめて鑑賞用植物や、野菜や、動物や、砂漠の乾燥防止用や、又健康状態の維持又は回復を図る人のためのもので、それぞれに対応した処置を施したパッドを用いるものであって、
観葉植物の場合は、単体の水をパッドに含ませることによって長期出張、旅行の間、枯れさせない状態を保持するよう差したり植え込んだり、また該単体の水に植物に適応した肥料又は薬剤をパッドに溶解することによって、鑑賞用植物の渇水防止、発育並びに害虫駆除を図ったり、
野菜栽培の場合は、単体の水をパッドに含ませることによって長時間枯れさせない状態を保持するよう種を撒いたりまた植え込んだり、更に該単体の水に野菜に適応した肥料又は薬剤を溶解することによって野菜の発育並びに害虫駆除を図ったり、
鳥類や昆虫などの動物の場合は、単体の水又は鳥類などの動物に適応した養分又は抗菌材を水に溶解したり、
砂漠の乾燥防止用の場合は  砂漠の砂の下に水分を含ませたパッドを敷設することによって、動物の死滅又は植物が枯れるのを防止したり、
人の健康を回復又は維持する場合は、その人の病原を追求してこの病原を回復するに適した薬剤又は健康維持薬剤を溶解するようにしたり、
することを特徴としたパッドを用いて水又は肥料，養分，薬剤などを水に溶解して植物や野菜や動物や人の健康状態の維持，回復を図るパッド利用方法。
【請求項２】
前記植物又は野菜に対応した肥料並びに害虫駆除対策の薬剤は、少なくとも一般によく知られているものを用いて水に溶解するが、溶解時間を要するものに対しては固形物をパッドに埋め込むことを特徴とする請求項１記載のパッドを用いて水又は肥料，養分，薬剤などを水に溶解して植物や野菜や動物や人の健康状態の維持，回復を図るパッド利用方法。
【請求項３】
前記合成樹脂から得られる化学繊維や、植物繊維や、又紙の繊維から生成されたものは、コットンに類したように加工されたものであり、水や肥料や薬剤が給水されるようにしたことを特徴とする請求項１又は２記載のパッドを用いて水又は肥料，養分，薬剤などを水に溶解して植物や野菜や動物や人の健康状態の維持，回復を図るパッド利用方法。
【請求項４】
パッドへの給水方法は、パッドに直接水分を補給するか、又は降雨によるか又は管を備えて給水するようにし、パッドの敷設方法は、鑑賞植物に対しては全体を箱型、丸型や鉢型状の中に備え、野菜栽培に対しては畑の土の上を覆ったりまた土の中に埋め込んだりし、動物や鳥類に対しては、給水や降雨に対応した処置を施すようにしたことを特徴とする請求項１又は２記載のパッドを用いて水又は肥料，養分，薬剤などを水に溶解して植物や野菜や動物や人の健康状態の維持，回復を図るパッド利用方法。
【請求項５】
パッド（パット）は、給水性や通気性などを加味した通常、赤ちゃんや寝たきり老人用に使用されているおむつなどに利用されているものであり、その成分は主としてコットン（粒状や綿状のもの）が用いられているが、場合によっては合成樹脂から得られる化学繊維や、植物繊維や、又紙の繊維から生成されたものであり、該パッドに水単体又は肥料，養分，薬剤などを水に溶解せしめて鑑賞用植物や、野菜や、動物や、砂漠の乾燥防止用や、又健康状態の維持又は回復を図る人のためのもので、それぞれに対応した処置を施したパッドを用いるものであって、
観葉植物の場合は、単体の水をパッドに含ませることによって長期出張、旅行の間、枯れさせない状態を保持するよう差したり植え込んだり、また該単体の水に植物に適応した肥料又は薬剤をパッドに溶解することによって、鑑賞用植物の渇水防止、発育並びに害虫駆除を図ったパッドを構築し、
野菜栽培の場合は、単体の水をパッドに含ませることによって長時間枯れさせない状態を保持するよう種を撒いたりまた植え込んだり、更に該単体の水に野菜に適応した肥料又は薬剤を溶解することによって野菜の発育並びに害虫駆除を図ったパッドを構築し、
鳥類や昆虫などの動物の場合は、単体の水又は鳥類などの動物に適応した養分又は抗菌材を水に溶解することによってパッドを構築し、
砂漠の乾燥防止用の場合は、砂漠の砂の下に水分を含ませたパッドを敷設することによって、動物の死滅又は植物が枯れるのを防止したりするパッドを構築し、
人の健康を回復又は維持する場合は、その人の病原を追求してこの病原を回復するに適した薬剤又は健康維持薬剤を溶解するようにしたりするパッドを構築し、
これらの条件を満たすようにしたことを特徴とするパッドを用いて水又は肥料，養分，薬剤などを水に溶解して植物や野菜や動物や人の健康状態の維持，回復を図るパッド利用装置。
【発明の詳細な説明】
【０００１】
【発明の属する技術分野】
本発明は、給水性や通気性などを加味した通常、赤ちゃんや寝たきり老人用に使用されているおむつのパッドに係わり、特にこのパッドに水単体又は肥料，養分，薬剤などを水に溶解して植物や野菜や動物や健康状態の維持又は回復を図る人に対応した処置を施したパッド利用方法及びその装置に関する。
【０００２】
【発明が解決しようとする課題】
植物によっては、水の補給量が異なっており、特に多量の補給を必要とする植物に対しては長期的な旅行をした場合枯らしてしまうことさえある。また、園芸店で鉢植えの花や他の植物を購入した場合、土が鉢の中に入れられているので、持ち運びが大変であったり、しょっちゅう水を補給しなければならない。また、花や他の植物に水のみの補給するだけでは栄養不足で育たなかったりまた枯れてしまうことがある。また、動植物にとっても、一定の容器では短時間で水が枯れてしまう。
さらに、人の健康維持又は回復は体の内部ばかりとは限らず、外部からの療法もあり、例えばばんそこうを貼って肩凝りを解消する方法を取られているが、長時間肩凝りから開放されることはない。
また、野菜栽培において、乾季の時期が長い場合は、せっかく種を撒いても芽が出なかったり、また野菜が水不足で枯れてしまうことがある。
【０００３】
本発明は、上述した点に鑑みて創案されたもので、その目的とするところは、これらの課題を解消したパッドを用いて水又は肥料，養分，薬剤などを水に溶解して植物や野菜や動物や人の健康状態の維持，回複を図るパッド利用方法及びその装置を提供することにある。
【０００４】
【課題を解決するための手段】
つまり、その目的を達成するための手段は、
１．請求項１において、
パッド（パット）は、給水性や通気性などを加味した通常、赤ちゃんや寝たきり老人用に使用されているおむつなどに利用されているものであり、その成分は主としてコットン（粒状や綿状のもの）が用いられているが、場合によっては合成樹脂から得られる化学繊維や、植物繊維や、又紙の繊維から生成されたものもあり、該パッドに水単体又は肥料，養分，薬剤などを水に溶解せしめて鑑賞用植物や、野菜や、動物や、砂漠の乾燥防止用や、又健康状態の維持又は回復を図る人の、それぞれに対応した処置を施したパッドを用いるものであって、
植物の場合は、単体の水をパッドに含ませることによって長期出張、旅行の間枯れさせない状態を保持するよう差したり植え込んだり、また該単体の水に植物に適応した肥料又は薬剤を溶解せしめることによって、鑑賞用植物の渇水防止、発育並びに害虫駆除を図ったり、
野菜栽培の場合は、単体の水をパッドに含ませることによって長時間枯れさせない状態を保持するよう種を撒いたりまた植え込んだり、更に該単体の水に野菜に適応した肥料又は薬剤を溶解することによって野菜の発育並びに害虫駆除を図ったり、
鳥類や昆虫などの動物の場合は、単体の水又は鳥類などの動物に適応した養分又は抗菌材を水に溶解したり、
砂漠の乾燥防止用の場合は、砂漠の砂の下に水分を含ませたパッドを敷設することによって、動物の死滅又は植物が枯れるのを防止したり、
人の健康を回復又は維持する場合は、その人の病原を追求してこの病原を回復するに適した薬剤又は健康維持薬剤を溶解するようにしたり、
することを特徴としたパッドを用いて水又は肥料，養分，薬剤などを水に溶解して植物や野菜や動物や人の健康状態の維持，回復を図るパッド利用方法である。
【０００５】
２．請求項２において、
前記植物又は野菜に対応した肥料並びに害虫駆除対策の薬剤は、少なくとも一般によく知られているものを用いて水に溶解するが、溶解時間を要するものに対しては固形物をパッドに埋め込むことを特徴とする請求項１記載のパッドを用いて水又は肥料，養分，薬剤などを水に溶解せしめて植物や野菜や動物や人の健康状態の維持，回復を図るパッド利用方法である。
【０００６】
３．請求項３において、
前記合成樹脂から得られる化学繊維や、植物繊維や、又紙の繊維から生成されたものは、コットンに類したように加工されたものであり、水や肥料や薬剤が給水されるようにしたことを特徴とする請求項１又は２記載のパッドを用いて水又は肥料，養分，薬剤などを水に溶解して植物や野菜や動物や人の健康状態の維持，回復を図るパッド利用方法である。
【０００７】
４．請求項４において、
パッドへの給水方法は、パッドに直接水分を補給するか、又は降雨によるか又は管を備えて給水するようにし、パッドの敷設方法は、鑑賞植物に対しては全体を箱型、丸型や鉢型状の中に備え、野菜栽培に対しては畑の土の上を覆ったりまた土の中に埋め込んだりし、動物や鳥類に対しては、給水や降雨に対応した処置を施すようにしたことを特徴とする請求項１又は２記載のパッドを用いて水又は肥料，養分，薬剤などを水に溶解して植物や野菜や動物や人の健康状態の維持，回復を図るパッド利用方法である。
【０００８】
５．請求項５において、
パッド（パット）は、給水性や通気性などを加味した通常、赤ちゃんや寝たきり老人用に使用されているおむつなどに利用されているものであり、その成分は主としてコットン（粒状や綿状のもの）が用いられているが、場合によっては合成樹脂から得られる化学繊維や、植物繊維や、又紙の繊維から生成されたものであり、該パッドに水単体又は肥料，養分，薬剤などを水に溶解せしめて鑑賞用植物や、野菜や、動物や、砂漠の乾燥防止用や、又健康状態の維持又は回復を図る人のためのもので、それぞれに対応した処置を施したパッドを用いるものであって、
観葉植物の場合は、単体の水をパッドに含ませることによって長期出張、旅行の間、枯れさせない状態を保持するよう差したり植え込んだり、また該単体の水に植物に適応した肥料又は薬剤をパッドに溶解することによって、鑑賞用植物の渇水防止、発育並びに害虫駆除を図ったパッドを構築し、
野菜栽培の場合は、単体の水をパッドに含ませることによって長時間枯れさせない状態を保持するよう種を撒いたりまた植え込んだり、更に該単体の水に野菜に適応した肥料又は薬剤を溶解することによって野菜の発育並びに害虫駆除を図ったパッドを構築し、
鳥類や昆虫などの動物の場合は、単体の水又は鳥類などの動物に適応した養分又は抗菌材を水に溶解することによってパッドを構築し、
砂漠の乾燥防止用の場合は、砂漠の砂の下に水分を含ませたパッドを敷設することによって、動物の死滅又は植物が枯れるのを防止したりするパッドを構築し、
人の健康を回復又は維持する場合は、その人の病原を追求してこの病原を回復するに適した薬剤又は健康維持薬剤を溶解するようにしたりするパッドを構築し、
これらの条件を満たすようにしたことを特徴とするパッドを用いて水又は肥料，養分，薬剤などを水に溶解して植物や野菜や動物や人の健康状態の維持，回復を図るパッド利用装置である。
以下、本発明の一実施例に基づいて詳述する。
【０００９】
【発明の実施の形態】
現在市販されている赤ちゃんや寝たきり老人用のパッド（パット）は、大小便用の垂れ流し防止対策のみとして用いられている。
本発明は、このパッドを他の応用分野、つまり、パッドに水単体又は肥料，養分，薬剤などを水に溶解して植物や野菜や動物や健康状態の維持又は回復を図る人に対応した処置を施したパッドをあてがうものである。あてがう場所は大小便の排出箇所に限定されておらず、例えば人の場合は腹部にあてがったり、肩にあてがったり、足にあてがったりする。また、鑑賞植物の場合は鉢に入れて花を差したり植えたりする。
【００１０】
また、現在市販されているパッドの成分は主としてコットン（粒状、綿状）が用いられているが、合成樹脂などから生成されたものをコットンに類した繊維状に裁断することもできる。また、紙用パルプなどの植物繊維からも同様のものが得られることは言うまでもない。もちろん、給水性や通気性は加工工程によって種々の性質のものが得られたものを利用する。
【００１１】
かようなパッドの利用方法について、以下に詳細に説明する。
パッドを花や他の植物に利用する場合は、例えば単体の水や肥料を含ませた水をパッドに含ませ、このパッドを例えば鉢の中に入れ、このパッドの中に花を生けたり差したりする。
このような状態にある花は、水がパッドから乾燥して蒸発することがないので、花には十分な水補給ができる。つまり、土や花瓶の水では水が蒸発して長時間保持された状態を維持できない。また、花瓶の場合、花瓶の大きさによって多量の水を入れておくことが可能であるが、室温によっては悪臭を放つこととなる。
このことによって長時間枯れさせない状態を保持するよう植え込んだり、また該単体の水に植物に適応した肥料又は薬剤を溶解せしめてることによって植物の発育並びに害虫駆除を図ったりすることが可能である。
【００１２】
野菜栽培の場合は、単体の水をパッドに含ませることによって長時間枯れさせない状態を保持するよう種を撒いたりまた植え込んだり、更に該単体の水に野菜に適応した肥料又は薬剤を溶解せしめてることによって野菜の発育並びに害虫駆除を図ったりする。
野菜栽培に関しては、田畑で行ったり、温室で行ったり、また家庭で行ったりする。そして、このパッドを利用する場合、土と供用したり、またパッドのみで行われる。
【００１３】
昆虫や鳥類などの動物の場合は、単体の水又は鳥類などの動物に適応した養分又は抗菌材を水に溶解する。このパッドの利用場所については、鳥かごの中に入れたり、また自然環境破壊を防止するために、屋外に設置される。
砂漠の乾燥防止用の場合は、砂漠の砂の下に水分を含ませたパッドを敷設することによって、動物の死滅又は植物が枯れるのを防止する。
人の健康を回復又は維持する場合は、その人の病原を追求してこの病原を回復するに適した薬剤又は健康維持薬剤を溶解するようにしたものである。
【００１４】
前記植物又は野菜に対応した肥料並びに害虫駆除対策の薬剤は、少なくとも一般によく知られているものを用いて水に溶解するが、溶解時間を要するものに対しては固形物をパッドに埋め込んでパッド利用方法を図る。
【００１５】
前記合成樹脂から得られる化学繊維や、植物繊維や、又紙の繊維から生成された粒状又は綿状のもの（フィルムの場合もある）は、コットンに類したパッドのように加工されたものであり、水や肥料や薬剤が給水されるようにしたものである。
【００１６】
パッドへの給水方法は、パッドに直接水分を補給するか、又は降雨によるか又は管を備えて給水するようにし、パッドの敷設方法は、鑑賞植物に対しては全体を箱や鉢形状の中に備え、野菜栽培に対しては畑の土の上を覆ったりまた土の中に埋め込んだりし、動物や鳥類に対しては、給水や降雨に対応して処置を施すようにしたものである。
【００１７】
パッド（パット）は、給水性や通気性などを加味した通常、赤ちゃんや寝たきり老人用に使用されているおむつなどに利用されているものであり、その成分は主としてコットン（粒状や綿状のもの）が用いられているが、場合によっては合成樹脂から得られる化学繊維や、植物繊維や、又紙の繊維から生成されたものであり、該パッドに水単体又は肥料，養分，薬剤などを水に溶解せしめて鑑賞用植物や、野菜や、動物や、砂漠の乾燥防止用や、又健康状態の維持又は回復を図る人のためのもので、それぞれに対応した処置を施したパッドを用いるものであって、
観葉植物の場合は、単体の水をパッドに含ませることによって長期出張、旅行の間、枯れさせない状態を保持するよう差したり植え込んだり、また該単体の水に植物に適応した肥料又は薬剤をパッドに溶解することによって、鑑賞用植物の渇水防止、発育並びに害虫駆除を図ったパッドを構築し、
野菜栽培の場合は、単体の水をパッドに含ませることによって長時間枯れさせない状態を保持するよう種を撒いたりまた植え込んだり、更に該単体の水に野菜に適応した肥料又は薬剤を溶解することによって野菜の発育並びに害虫駆除を図ったパッドを構築し、
鳥類や昆虫などの動物の場合は、単体の水又は鳥類などの動物に適応した養分又は抗菌材を水に溶解することによってパッドを構築し、
砂漠の乾燥防止用の場合は、砂漠の砂の下に水分を含ませたパッドを敷設することによって、動物の死滅又は植物が枯れるのを防止したりするパッドを構築し、
人の健康を回復又は維持する場合は、その人の病原を追求してこの病原を回復するに適した薬剤又は健康維持薬剤を溶解するようにしたりするパッドを構築し、
これらの条件を満たすようにしたことを特徴とするパッドを用いて水又は肥料，養分，薬剤などを水に溶解して植物や野菜や動物や人の健康状態の維持，回復を図るパッド利用装置である。
なお、ここで用いられるパッド又はパットについては、例えばテフロンをフライパンや炊飯器やしゃもじにコーティングする場合の特許と同様、テフロンの製造方法に言及しない場合と同様に、その製造方法については言及しない。
つまり、パッドの製造技術に関しては、公知技術により形成される場合、又は今後開発される技術のいずれに対しても適用されるものであって、本発明の要旨とするところの主たる吸水性を加味することを特徴とした動植物の繊維、又は化学繊維、又はこれらをミックスした繊維を対象とした粒状又は綿状のものである。また、リサイクルとして、吸水性のある古紙とこれらの繊維をミックスしてパッドを形成したり、パッドの吸水性の向上、蒸発性の防止を図るためにパッドの軸心をひほうする材質のこれらの化学的特性に応じてパッドを製造する場合もある。
【００１８】
【発明の効果】
以上説明したように本発明によれば、パッドを用いて水又は肥料，養分，薬剤などを溶解せしめて植物や野菜や動物や人の健康状態の維持，回復を図るパッドの利用を図ることができるので、例えば長期的な出張，旅行をした場合においても枯らしてしまうことがなく、また、園芸店で鉢植えの花や他の植物を購入した場合、土の代わりにパッドが鉢の中に入れられているので、手軽に持ち運びが可能であり、更にパッドに肥料が含有されているので枯れる心配がないなど種々の利点を備えているので、実用上、極めて有用性の高いものである。